(57)【要約】【課題】従来、チップの１個分離および送給の工程には、例えば、ボールフィーダー等の供給手段の次に、チップの１個分離装置、検測装置、排除装置、装填装置等を備えたローター、ターンテーブル等のハンドリング手段を設置し、更に該ハンドリング手段から各種の包装ユニットへ移乗装填するための装置を必要としていたため、多種多様な個別装置を必要として全体が複雑で大形になり、どうしても高コストになる課題があった。【解決手段】フィダー等のチップｔを１列搬送する供給手段１の先端部の直前位置に２個のローラー２、２をチップｔの寸法に見合った間隔をおいて対設し、供給手段１で一列搬送されてくるチップの先頭のチップｔ１個を両ローラー２、２間に挟持すると同時にその回転で列から分離して定位置で停止し、再び回転して回転方向へ送給するようにして、もって、チップｔを１個宛に分離して次工程へ送給するようにしたチップの１個分離および送給装置によって課題を解決した。【選択図】図１
2004323202.tif 000002
【特許請求の範囲】
【請求項１】
フィダー等のチップを１列搬送する供給手段の先端部の直前位置で、搬送の想定延長線を挟んだ左右位置に、該供給手段によるチップの搬送速度より早い速度で搬送方向に回転する２個のローラーをチップの寸法に見合った間隔をおいて対設し、該２個のローラーは回転及び定位置停止の制御自在に備えたものであり、供給手段で１列搬送されてくるチップの先頭のチップ１個を両ローラー間に挟持すると同時にその回転で列から分離して定位置で停止し、再び回転して回転方向へ送給するようにして、もって、チップを１個宛に分離して次工程へ送給するようにしたことを特徴とする、
チップの１個分離および送給装置。
【請求項２】
ローラー間に挟持搬送される１個のチップがチップ位置検出センサーの検出位置に到達すると同時にローラーを一時停止して、チップを定位置に一時停止するように備えたことを特徴とする、
請求項１のチップの１個分離および送給装置。
【請求項３】
ローラーの回転を一時停止してチップを一時定位置に停止すると共に、該停止位置に近接して備えた検測装置の検測端子をチップに接触してチップの電気的特性を検測してチップを良品、不良品に区分し、検測後再びローラーを回転してチップを搬送し、チップがローラー上にある間若しくは次工程で不良品チップを排除するように備えたことを特徴とする、
請求項１のチップの１個分離および送給装置。
【請求項４】
チップの一時停止位置に近接してチップの表裏面、前後方向、長短等の外形姿勢等の特性を検測検定する装置を備えたことを特徴とする、
請求項１のチップの１個分離および送給装置。
【請求項５】
チップを１列搬送する供給手段の先端部の直前位置で、搬送の想定延長線を挟んだ左右位置に対設する２個のローラーの設定間隔を、搬送対象とするチップの寸法に合わせて広狭調整自在に備えたことを特徴とする、
請求項１のチップの１個分離および送給装置。
【発明の詳細な説明】
【０００１】
【産業上の利用分野】
各種のチップ型小形電子部品（以下、チップとする。）の１個分離および送給装置であり、フィダー等のチップを１列搬送する供給手段の先端部の直前位置に２個のローラーを対設し、供給手段で一列搬送されてくるチップの先頭のチップ１個を両ローラー間に挟持すると同時にその回転で列から分離して定位置で停止し、再び回転して回転方向へ送給するようにして、もって、チップを１個宛に分離して次工程へ送給するようにした装置を提供する。
【０００２】
【従来技術の課題】
従来、素材から加工製造したバラ状態のチップを各種の供給手段、例えば、各種のボールフィーダー、ストレートフィーダー等で１列に整列して搬送し、そのチップを各種の１個分離装置で１個宛に分離し、分離された各チップの電気的特性や外形姿勢等の特性を各種の検測装置で１個宛測定して良品・不良品若しくは該当・不該当に区分し、不良品・不該当のチップを適宜の排除装置でライン外に排除し、次いで良品・該当のチップを各種の包装ユニット（例、チップテープ、バルクケース等）に包装し、該包装ユニットからチップを各種チップマウント装置で１個宛取り出して、最終目的であるプリント基板等にマウント実装することが行われている。
【０００３】
従来、上記の工程には、例えば、ボールフィーダー等の供給手段の次に、チップの１個分離装置、検測装置、排除装置、装填装置等を備えたローター、ターンテーブル等のハンドリング手段を設置し、更に該ハンドリング手段から各種の包装ユニットへ移乗装填するための装置を必要としていたため、多種多様な個別装置を必要として全体が複雑で大形になり、どうしても高コストになる課題があった。
【０００４】
【発明による課題の解決】
本発明は、例えばボールフィーダー等の供給手段に直に接続設置することによって、上記従来のチップの１個分離装置、検測装置、排除装置、装填装置等を備えたローター、ターンテーブル等のハンドリング手段を省略することができるようにし、また、１個分離、各種検測済みの良品、該当のチップを、本発明装置から直に包装ユニットへ移乗装填することができるなどの優れた特徴を有する装置を提供して上記従来の課題を解決したものである。
【０００５】
【課題を解決する手段】
即ち、本発明は、フィダー等のチップを１列搬送する供給手段の先端部の直前位置で、搬送の想定延長線を挟んだ左右位置に、該供給手段によるチップの搬送速度より早い速度で搬送方向に回転する２個のローラーをチップの寸法に見合った間隔をおいて対設し、該２個のローラーは回転及び定位置停止の制御自在に備えたものであり、
【０００６】
供給手段で１列搬送されてくるチップの先頭のチップ１個を両ローラー間に挟持すると同時にその回転で列から分離して定位置で停止し、再び回転して回転方向へ送給するようにして、もって、チップを１個宛に分離して次工程へ送給するようにしたことを特徴とする、チップの１個分離および送給装置によって課題を解決したものである。
【０００７】
【実施例】
次に、本発明の実施例を説明する。図１乃至図４を参照。
フィダー等のチップｔを１列搬送する供給手段１の先端部の直前位置で、搬送の想定延長線を挟んだ左右位置に、該供給手段１によるチップｔの搬送速度より早い速度で搬送方向に回転する２個のローラー２、２をチップｔの寸法に見合った間隔をおいて対設し、該２個のローラー２、２は回転及び定位置停止の制御自在に備えたものであり、
【０００８】
供給手段１で一列搬送されてくるチップの先頭のチップｔ１個を両ローラー２、２間に挟持すると同時にその回転で列から分離して定位置で停止し、再び回転して回転方向へ送給するようにして、もって、チップｔを１個宛に分離して次工程へ送給するようにした、チップの１個分離および送給装置である。
【０００９】
上記装置において、ローラー２、２間に挟持搬送される１個のチップｔがチップ位置検出センサー３の検出位置に到達すると同時にローラー２、２を一時停止して、チップｔを定位置に一時停止するように備えたものであり、
【００１０】
ローラー２、２の回転を一時停止してチップｔを一時定位置に停止すると共に、該停止位置に近接して備えた検測装置の検測端子４をチップｔに接触してチップｔの電気的特性を検測してチップｔを良品・不良品に区分して不良品チップｔを適宜の排除手段、例えば、噴気手段によって排除し、再びローラー２、２を回転してチップｔを次工程５へ搬送するように備えたものである。
【００１１】
なお、不良品チップｔの排除は、上記のように不良品チップｔがローラー２、２上にある間に上記のように排除するか、若しくは次工程５に適宜の排除手段を備えて排除する。
【００１２】
次工程５としては、主として、各種の包装ユニットを備える。
包装ユニットは、例えば、長尺のテープにチップを１個宛テーピングするチップテープや、設定個数のチップをカセットケースに装填するバルクケース等であるが、その他の異なる包装形態の包装ユニットにも対応出来るものである。
【００１３】
ローラー２、２上にチップｔの電気的特性検測装置や不良品チップの排除装置を備えない場合は、次工程５に検測装置や排除装置を備える。
【００１４】
必要に応じて、チップの一時定位置に近接して、上記の電気的特性検測装置や不良品チップの排除装置と共に、若しくは別個に、例えば、チップの表裏面、前後方向、長短等の外形姿勢等の特性によってチップを該当・不該当に区分する各種の検測検定用の装置を備えたものであり、これによって本発明装置の汎用性を高め得る。
【００１５】
また、チップｔを１列搬送する供給手段１の先端部の直前位置で、搬送の想定延長線を挟んだ左右位置に対設する２個のローラー２、２の設定間隔を、搬送対象とするチップｔの寸法に合わせて広狭調整自在に備えたものである。
これによって、チップ部品のサイズに対する自由度を拡大することが出来る。
【図面の簡単な説明】
【図１】本発明の実施例装置の構成概略を示す斜視図。
【図２】図１の実施例装置の一部拡大平面図で、ローラー間にチップを挟持して先頭のチップ１個だけを供給手段の列から分離した状態を示す作用説明図。
【図３】図２のチップ位置検出センサーによって１個分離チップを検出しローラーを停止してチップを定位置に停止した状態を示す作用説明図。
【図４】図３の検測装置の検測端子が移動して定位置に停止したチップに接触しその電気的特性を測定し、チップの良・否を区分する状態を示す作用説明図。
【符号の説明】
ｔ    チップ
１    供給手段（フィーダー）
２    ローラー
３    チップ位置検出センサー
４    検測装置
４ａ  検測端子
５    次工程
【図１】
2004323202.tif 000003
【図２】
2004323202.tif 000004
【図３】
2004323202.tif 000005
【図４】
2004323202.tif 000006